(57)【要約】【課題】準備作業を低減して効率よく、展示物に対して、通常と同様な照明の他、文字情報等の自由度が高い照明を投影して様々な展示を行なうことができる展示装置を提供する。【解決手段】このディスプレイケース１０は、底面部１１、背面部１２、透過面（１３ａ〜１３ｃ）、上面部１４から構成される。背面部１２が、上面部１４を支持しており、透過面（１３ａ〜１３ｃ）が、背面部１２以外の側面部を覆っている。底面部１１の内部空間には、画像を再生する制御装置２０が配置され、この制御装置２０は、上面部１４の内部空間に配置されたプロジェクタ３０に接続されている。プロジェクタ３０からの照明光は、上面部１４に配置されたミラー４０を介して、底面部１１の上面に投影される。プロジェクタ３０からは、商品を底面部１１の上面に配置するためのガイド画像や、商品が配置された際に投影される動画が出力される。【選択図】図１
2013044874.tif 000002
【特許請求の範囲】
【請求項１】
展示する対象物を上面に配置するための底面部と、
前記対象物に対して画像を投影するためのプロジェクタと、
前記プロジェクタに接続され、このプロジェクタに供給する画像データを記憶した制御手段とを備えた展示装置であって、
前記制御手段が、前記プロジェクタからの画像を、前記対象物の上方から投影することを特徴とすることを特徴とする展示装置。
【請求項２】
前記制御手段には、展示物の設置場所をガイドするガイド画像データと、展示中に投影する展示画像データとを画像データとして記録したデータ記憶部が接続されており、
前記制御手段は、
前記ガイド画像データを前記プロジェクタに供給して、ガイド画像を前記底面部の上面に投影し、
前記展示画像データを前記プロジェクタに供給して、ディスプレイ画像を前記底面部に配置された商品に投影することを特徴とする請求項１に記載の展示装置。
【請求項３】
前記底面部に設置された対象物の配置レイアウトを撮影し、前記配置レイアウトに基づいて、画像データを作成する画像生成手段を更に備え、
前記画像生成手段において作成された画像データを前記制御手段に記録したことを特徴とする請求項１又は２に記載の展示装置。
【請求項４】
前記底面部に設置された対象物に貼付されたコード画像を読み取り、前記コード画像に基づいて、画像データを作成する画像生成手段を更に備え、
前記画像生成手段において作成された画像データを前記制御手段に記録したことを特徴とする請求項１又は２に記載の展示装置。
【請求項５】
前記底面部には、タッチセンサが設けられており、
前記タッチセンサによって検知した対象物の配置レイアウトに基づいて、画像データを作成する画像生成手段を更に備え、
前記画像生成手段において作成された画像データを前記制御手段に記録したことを特徴とする請求項１又は２に記載の展示装置。
【発明の詳細な説明】
【技術分野】
【０００１】
本発明は、収納した展示物に対して光を投影して展示を行なうための展示装置に関する。
【背景技術】
【０００２】
商品展示の演出として、照明を点滅させたり、照明の強度や投影位置を変化させたり、カクテル光線を投影したりすることにより、観客の注目を集め、展示物体の印象を強めるといった技術が利用されている。照明光の形を変化させるために、投影機器にゴボやマスクなどと呼ばれるフィルタを設置した照明装置を用いることがある。この照明装置では、投影機器から出射された照明光の一部がフィルタの形に従って遮断されるため、フィルタを通過した照明光は、フィルタの形に切り抜かれた状態となる。具体的には、丸、三角、四角などで構成されるベース形状で切り抜かれたフィルタ（ゴボなど）を投影機器に取り付けて、照明光の輪郭を、丸、三角、四角などの形にする。
【０００３】
更に、従来においては、投影機器であるプロジェクタを照明器具の代わりに使用して、空間演出を行う照明システムがある。この照明システムに使用される照明器具は、ムービングプロジェクタとも呼ばれる。このムービングプロジェクタは、照明光を出射する。このため、照明光の形、色を自由に設定した動画として、映像光を変化させることが可能である。
【０００４】
そこで、動画を投影対象物体の形状や移動等に応じて、リアルタイムに制御する技術が検討されている（例えば、特許文献１参照）。この文献に記載された技術では、展示物体の基準点に対する位置と基準点から見た展示物体の３次元形状に基づき画像生成制御装置により電子動画像を作成し、作成された電子動画像を液晶プロジェクタにより投影する。
【０００５】
また、演出空間において動画を取り入れ、出力する技術が検討されている（例えば、特許文献２参照）。この文献に記載された技術では、映像信号及び音声信号を再生する再生装置と再生装置と接続し、音声信号をスピーカに、映像信号をプロジェクタに、各駆動信号を駆動制御装置に出力する。そして、比較的暗い大画面の背景部分に比較的明るい動画の小画面をスクリーンに投影し、小画面の中の移動物体の動作に応じた自然な動きを描写する。
【０００６】
また、ユーザが希望する形態で光を投影する技術が検討されている（例えば、特許文献３参照）。この文献に記載された技術では、所定の空間に対して、所定の投影範囲の照明光を投影するプロジェクタを備える。投影制御装置によって、プロジェクタが投影する投影範囲に投影される投影光のうちの照明光の特徴を設定し、ユーザの操作に基づいて、照明光の形状を予め記憶されたベース形状群から選択するとともに、この選択された形状の照明光の投影範囲内の照明位置を設定する。
【０００７】
更に、商品と、商品の下又は背後から発出する画像との組合体である図を提供する商品ディスプレイケースが検討されている（例えば、特許文献４参照）。この文献に記載された技術では、フレームハウジング、画像投影機、鏡、及び商品を支持しかつ展示する後ディスプレイパネルを含む。
【先行技術文献】
【特許文献】
【０００８】
【特許文献１】特開平５−２４９４２８号公報（第１頁、図１）
【特許文献２】特開平９−１４９２９６号公報（第１頁、図１）
【特許文献３】特開２００９−２９０３５４号公報（第１頁、図１）
【特許文献４】特表２００５−５２０６５９号公報（第１頁、図１）
【発明の概要】
【発明が解決しようとする課題】
【０００９】
上述のように、プロジェクタを用いることにより、文字情報等、多様な投影を行なうことができる。しかしながら、商品展示場所の外部からプロジェクタで照明光を投影する場合、商品配置、プロジェクタの配置や投影角度等の準備負担が大きくなる。
特に、チェーン店においては、同じ商品を複数の店舗において展示する場合もあり、店舗毎に個別に準備する必要があり、その作業負担が大きくなるという課題がある。
更に、商品展示においては、一般の照明と同様に、自然な状態での照明を行ないたい場合もある。
【００１０】
本発明は、上記課題を解決するためになされたものであり、その目的は、準備作業を低減して効率よく、展示物に対して、自由度が高い照明を投影して様々な展示を行なうことができる展示装置を提供することにある。
【課題を解決するための手段】
【００１１】
上記問題点を解決するために、請求項１に記載の発明は、展示する対象物を上面に配置するための底面部と、前記対象物に対して画像を投影するためのプロジェクタと、前記プロジェクタに接続され、このプロジェクタに供給する画像データを記憶した制御手段とを備えた展示装置であって、前記制御手段が、前記プロジェクタからの画像を、前記対象物の上方から投影することを要旨とする。
【００１２】
請求項２に記載の発明は、請求項１に記載の展示装置において、前記制御手段には、展示物の設置場所をガイドするガイド画像データと、展示中に投影する展示画像データとを画像データとして記録したデータ記憶部が接続されており、前記制御手段は、前記ガイド画像データを前記プロジェクタに供給して、ガイド画像を前記底面部の上面に投影し、前記展示画像データを前記プロジェクタに供給して、ディスプレイ画像を前記底面部に配置された商品に投影することを要旨とする。
【００１３】
請求項３に記載の発明は、請求項１又は２に記載の展示装置において、前記底面部に設置された対象物の配置レイアウトを撮影し、前記配置レイアウトに基づいて、画像データを作成する画像生成手段を更に備え、前記画像生成手段において作成された画像データを前記制御手段に記録したことを要旨とする。
【００１４】
請求項４に記載の発明は、請求項１又は２に記載の展示装置において、前記底面部に設置された対象物に貼付されたコード画像を読み取り、前記コード画像に基づいて、画像データを作成する画像生成手段を更に備え、前記画像生成手段において作成された画像データを前記制御手段に記録したことを要旨とする。
【００１５】
請求項５に記載の発明は、請求項１又は２に記載の展示装置において、前記底面部には、タッチセンサが設けられており、前記タッチセンサによって検知した対象物の配置レイアウトに基づいて、画像データを作成する画像生成手段を更に備え、前記画像生成手段において作成された画像データを前記制御手段に記録したことを要旨とする。
【００１６】
（作用）
請求項１に記載の発明によれば、展示物を底面部に設置して、制御手段から画像データを出力することにより、プロジェクタを介して、簡単に多様な照明を行なうことができる。プロジェクタを用いることにより、例えば、通常と同様な照明の他、文字情報等を投影することができる。
【００１７】
請求項２に記載の発明によれば、出力されたガイド画像により、展示物を配置することができる。
請求項３に記載の発明によれば、撮影画像を用いて効率的に展示物に投影する画像を作成することができる。
【００１８】
請求項４に記載の発明によれば、コード画像を用いて、効率的に展示物に投影する画像を作成することができる。
請求項５に記載の発明によれば、タッチセンサを用いて、効率的に展示物に投影する画像を作成することができる。
【発明の効果】
【００１９】
本発明によれば、準備作業を低減して効率よく、展示物に対して、通常と同様な照明の他、文字情報等の自由度が高い照明を投影して様々な展示を行なうことができる展示装置を提供することができる。
【図面の簡単な説明】
【００２０】
【図１】本発明の第１の実施形態のディスプレイケースの斜視図であって、（ａ）は外観、（ｂ）は内部の説明図。
【図２】本発明のディスプレイケースの説明図であって、（ａ）はディスプレイケースの右側断面図、（ｂ）制御装置の機能ブロック図、（ｃ）はガイド画像の説明図。
【図３】本発明の第２の実施形態のディスプレイケースの説明図であって、（ａ）は右側断面図、（ｂ）は制御装置の機能ブロック図。
【図４】本発明の第３の実施形態のディスプレイケースの説明図であって、（ａ）は右側断面図、（ｂ）は制御装置の機能ブロック図。
【図５】本発明の他の実施形態のディスプレイケースの説明図。
【発明を実施するための形態】
【００２１】
（第１の実施形態）
以下、本発明を具体化した第１の実施形態を、図１及び図２に基づいて説明する。本実施形態における展示装置としてのディスプレイケース１０は、図１（ａ）に示すように、商品（展示物）が展示された空間に対して、プロジェクタからの照明光により、演出効果を与える装置である。このディスプレイケース１０においては、後述するように、商品を設置するステージや、照明光を投影するための照明手段が一体化している。
【００２２】
このディスプレイケース１０は、底面部１１、背面部１２、透過面（１３ａ〜１３ｃ）、上面部１４から構成される。背面部１２及び透過面（１３ａ〜１３ｃ）の下部は、底面部１１の周縁部に接続されており、背面部１２及び透過面（１３ａ〜１３ｃ）の上部は上面部１４の周縁部に接続されている。本実施形態では、背面部１２が上面部１４を支持しており、透過面（１３ａ〜１３ｃ）が背面部１２以外の側面部を覆っている。商品の閲覧者は、正面の透過面１３ａ、左側面の透過面１３ｂ及び右側面の透過面１３ｃを通して、商品を閲覧することができる。
【００２３】
ディスプレイケース１０の底面部１１は、図１（ｂ）に示すように、内部空間が区画されている。この内部空間には、後述する制御装置２０が、取り出しできる状態で設置されている。この制御装置２０は、背面部１２に配置されたケーブルを介して、後述するプロジェクタ３０に接続されている。
【００２４】
透過面（１３ａ〜１３ｃ）は、ディスプレイケース１０から取り外しできる状態で、底面部１１、背面部１２、上面部１４に取り付けられている。展示する商品をディスプレイケース１０に収納する場合には、これら透過面（１３ａ〜１３ｃ）を取り外すことにより、底面部１１の上面を外部に解放し、この上面に商品を配置する。
上面部１４は、内部空間が区画されており、この内部空間には、プロジェクタ３０と、平面形状のミラー４０とが設置されている。
【００２５】
プロジェクタ３０は、制御装置２０からの画像データに基づいて、出光部３２を介して、画像を出力する。このプロジェクタ３０は、両側面に設けられた回転支持体３５を介して上面部１４に固定されている。この回転支持体３５を支点として揺動させることにより、プロジェクタ３０から出力される画像の投影角度を調整する。また、この場合、プロジェクタ３０からの照明光は、底面部１１の上面にフォーカスが合うように設定される。
【００２６】
ミラー４０は、プロジェクタ３０からの照明光を反射して、底面部１１の上面に投影する。このため、上面部１４の下面には、ミラー４０に対向する位置に、照明光を取り出すための開口部が設けられている。このミラー４０は、回転支持体４５を介して上面部１４に固定されている。この回転支持体４５を支点としてミラー４０を揺動させることにより、プロジェクタ３０からの照明光の反射角度を調整する。本実施形態では、プロジェクタ３０及びミラーの上面部１４における取付角度を予め調整することにより、プロジェクタ３０からの照明光を投影させる。
【００２７】
次に、画像を表示するための電気的装置について詳述する。
図２（ｂ）に示すように、制御手段としての制御装置２０は、画像データを出力するコンピュータ端末である。この制御装置２０は、制御部２１、データ記憶部２２及び操作部２３を備えている。
【００２８】
制御部２１は、画像データを出力し、プロジェクタ３０に供給する。
データ記憶部２２には、画像データを含む各種データが記録される。本実施形態では、このデータ記憶部２２には、ガイド画像データ２２１及び展示画像データ２２２が記録される。
【００２９】
ガイド画像データ２２１は、底面部１１の上面に、商品を設置する場合の注意点等を示すためのガイド情報を含む画像データである。このガイド画像データ２２１は、例えば、商品の配置位置や、商品の設置方向を示すためのガイド情報が含まれた静止画像である。
展示画像データ２２２は、商品の展示時に、商品に投影する動画データである。
【００３０】
操作部２３は、各種情報を入力する入力機能や、各種情報を出力する出力機能を実現する。本実施形態では、タッチパネルディスプレイを用いる。この操作部２３を用いて、モードの切換を行なって、データ記憶部２２に各種画像データを記録したり、画像データを出力したりする。
【００３１】
次に、上述したディスプレイケース１０における作用について説明する。
まず、展示する商品をディスプレイケース１０に配置するためのガイド画像データ２２１を生成する。この場合、商品（展示物）の配置レイアウトを想定して、この想定に応じて、商品の配置位置や配置方向をガイドするための静止画データ（ガイド画像データ２２１）を生成する。
【００３２】
次に、展示時に商品に投影する展示画像データ２２２を生成する。この場合、商品に対して所望の照明が投影されるように、商品の配置位置に対して、画像オブジェクトを設定した動画データを生成する。
そして、制御装置２０のデータ記憶部２２に、生成したガイド画像データ２２１及び展示画像データ２２２を登録する。
【００３３】
商品を展示する際には、制御装置２０の操作部２３を介して、制御部２１をガイドモードに切り替える。この場合、制御装置２０の制御部２１は、ガイド画像データ２２１をプロジェクタ３０に供給する。プロジェクタ３０は、ミラー４０を介して、底面部１１の上面に、ガイド画像データ２２１に基づいた画像を投影する。このガイド画像は、図２（ｃ）に示すように、商品の配置位置や、設置の向きについての情報が含まれる。そして、このガイド画像を参考にしながら、商品を設置する。
【００３４】
そして、商品の設置を完了した場合、制御装置２０の操作部２３を介して、制御部２１を展示モードに変更する。この場合には、制御装置２０の制御部２１は、データ記憶部２２の展示画像データ２２２をプロジェクタ３０に供給する。そして、プロジェクタ３０は、ミラー４０を介して、底面部１１の上面に設置された商品に、展示画像データ２２２に基づいた動画を投影する。これにより、動画による照明を商品に投影することができる。
【００３５】
本実施形態によれば、以下のような効果を得ることができる。
（１）本実施形態では、プロジェクタ３０からの動画が、展示物に投影される。これにより、展示物に対して、変化に富んだ、視覚効果が高い照明を行なうことができる。特に、展示物の上方から投影されるので、展示画像データ２２２として全面均一の画像を用いることにより、通常の照明と同様に用いることもできる。
【００３６】
（２）本実施形態では、ディスプレイケース１０の上面部１４には、プロジェクタ３０及びミラー４０が内蔵されている。これにより、商品に対して投影する画像の角度に応じて、内蔵されたプロジェクタ３０及びミラー４０の取付角度を設定することができるので、ディスプレイケース１０を移動した場合であっても、手間をかけることなく、視覚効果が高い向きや投影角度で、動画を投影することができる。従って、チェーン店等のように複数の店舗において展示を行なう場合においても、共通した展示内容を実現することができる。
【００３７】
（３）本実施形態では、プロジェクタ３０からの照明光を、ミラー４０により反射させて、展示物に投影する。これにより、ミラー４０を用いて光路を調整することができるので、上面部１４の厚みを薄くして、コンパクトなディスプレイケース１０を実現することができる。
【００３８】
（４）本実施形態では、制御装置２０は、ガイド画像データ２２１及び展示画像データ２２２を記憶している。ガイドモードの場合、制御装置２０は、ガイド画像データ２２１をプロジェクタ３０に供給し、プロジェクタ３０から、商品を設置する場合の注意点等を示すための静止画像を、底面部１１の上面に投影する。これにより、展示画像データ２２２に対応させて商品を配置できるので、準備の作業負担を少なくすることができる。
【００３９】
（第２の実施形態）
次に、本発明を具体化した第２の実施形態を図３に基づいて説明する。上記第１の実施形態においては、展示物の配置レイアウトを想定してガイド画像データ２２１及び展示画像データ２２２を作成したが、本実施形態では、撮像装置を用いてガイド画像データ２２１及び展示画像データ２２２を作成する。この場合、展示物の種類を特定する情報が含まれたコード画像を用いて、展示物の種類に応じたデータを生成する。また、本実施形態において、上記実施形態と同様の部分については、同一の符号を付し、その詳細な説明は省略する。
【００４０】
本実施形態では、ガイド画像データ２２１や展示画像データ２２２を作成する場合、図３（ａ）に示すディスプレイケース１０Ａを用いる。このディスプレイケース１０Ａの制御部２１が、画像生成手段として機能する。このディスプレイケース１０Ａは、上記第１実施形態のディスプレイケース１０に、撮像装置としてのカメラ５０を設けたものである。具体的には、ディスプレイケース１０Ａの上面部の内部空間には、プロジェクタ３０と同じ視野角方向でカメラ５０が配置されている。
【００４１】
このカメラ５０は、制御装置２０に接続されており、底面部１１に設置された展示物を撮影し、撮影画像を制御装置２０に供給する。制御装置２０のデータ記憶部２２には、展示物データ２２３を記録しておく。この展示物データ２２３には、展示物を特定するための識別情報（展示物コード）に対して、展示物の属性（種類、大きさ、配色等）に関するデータが記録されている。
【００４２】
次に、図３（ｂ）を用いて、ガイド画像データや展示画像データの作成を説明する。
ガイド画像データ２２１や展示画像データ２２２を作成する場合には、ディスプレイケース１０Ａの底面部１１上に商品（展示物）を実際に配置する。この場合、各展示物の上面にコード画像を印字したシールを貼付しておく。このコード画像は、展示物の種類に対応した展示物コードを含めておく。
【００４３】
そして、カメラ５０を用いて、底面部１１上に設置された商品を撮影する。次に、制御装置２０の制御部２１は、カメラ５０から撮影画像を取得する。そして、この撮影画像に含まれるコード画像をデコードして、展示物の種類を特定するための展示物コードを取得する。更に、制御部２１は、撮影画像におけるコード画像の位置に基づいて、展示物の場所を特定する。
【００４４】
そして、制御部２１は、展示物に対応して画像を調整しながら、ガイド画像データ２２１や展示画像データ２２２を作成する。ここでは、展示物コードに基づいて、展示物の種類、大きさ、配色を特定し、これらに対応したガイド画像データ２２１を生成する。
【００４５】
更に、制御部２１は、コード画像の位置に応じて展示画像データ２２２の画像オブジェクトのレイアウトを変更する。そして、制御部２１は、ガイド画像データ２２１や展示画像データ２２２を、制御装置２０のデータ記憶部２２に記録する。
【００４６】
本実施形態によれば、上記（１）〜（３）の記載の効果に加えて、以下の効果を得ることができる。
（５）上記実施形態では、ガイド画像データ２２１や展示画像データ２２２を作成する場合には、展示物には、コード画像を印字したシールを貼付しておく。これにより、展示物の配置や種類を特定することができるので、これらを用いてガイド画像データ２２１や展示画像データ２２２を効率的に作成することができる。
【００４７】
（第３の実施形態）
次に、本発明を具体化した第３の実施形態を図４に基づいて説明する。上記第２の実施形態においては、カメラ５０を用いてガイド画像データ２２１及び展示画像データ２２２を作成したが、本実施形態では、タッチセンサを利用して作成する。本実施形態において、上記実施形態と同様の部分については、同一の符号を付し、その詳細な説明は省略する。
【００４８】
ガイド画像データや展示画像データを作成する場合、図４（ａ）に示すように、ディスプレイケース１０Ｂを用いる。このディスプレイケース１０Ｂの制御部２１が、画像生成手段として機能する。このディスプレイケース１０Ｂは、上記第１実施形態のディスプレイケース１０に、タッチセンサフィルム６０を設けたものである。このタッチセンサフィルム６０は、底面部１１の上面に配置されており、制御装置２０に接続されている。このタッチセンサフィルム６０は、この上に載置された商品の設置場所及び大きさ（設置範囲）を特定し、検知信号を制御装置２０に供給する。
【００４９】
次に、図４（ｂ）を用いて、ガイド画像データや展示画像データの作成を説明する。
ガイド画像データ２２１や展示画像データ２２２を作成する場合には、ディスプレイケース１０Ｂの底面部１１上に商品（展示物）を実際に配置する。この場合、制御装置２０は、タッチセンサフィルム６０から商品の設置場所や大きさに関するデータを取得する。
【００５０】
そして、制御部２１は、展示物に対応して画像を調整しながら、ガイド画像データ２２１や展示画像データ２２２を作成する。ここでは、取得した商品の設置場所や大きさに対応したガイド画像データ２２１を生成する。更に、展示物の位置に応じて展示画像データ２２２の画像オブジェクトのレイアウトを変更する。そして、制御部２１は、ガイド画像データ２２１や展示画像データ２２２を、制御装置２０のデータ記憶部２２に記録する。
【００５１】
本実施形態によれば、上記（１）〜（３）の記載の効果に加えて、以下の効果を得ることができる。
（６）上記実施形態では、ガイド画像データ２２１や展示画像データ２２２を作成する場合には、制御装置２０は、タッチセンサフィルム６０から展示物の設置場所や大きさに関するデータを取得する。これにより、展示物の配置や大きさを特定することができるので、これらを用いてガイド画像データ２２１や展示画像データ２２２を効率的に作成することができる。
【００５２】
また、上記実施形態は、以下のように変更してもよい。
・  上記第１実施形態においては、ガイド画像データ２２１や展示画像データ２２２を、制御装置２０のデータ記憶部２２に記録する。この場合、これらのデータを、ネットワークを介して、制御装置２０に供給するようにしてもよい。具体的には、制御装置２０に、ネットワークに接続された通信部を設ける。更に、ガイド画像データ２２１及び展示画像データ２２２が格納された画像管理サーバのＵＲＬをデータ記憶部２２に記憶させておく。そして、制御装置２０の制御部２１は、このＵＲＬを用いて画像管理サーバにアクセスする。制御部２１は、ガイド画像データ２２１及び展示画像データ２２２を取得して、データ記憶部２２に記録する。これにより、同じ商品を展示するチェーン店等において、ディスプレイケース１０を設置した状態で、データ記憶部２２にガイド画像データ２２１や展示画像データ２２２を、更新記録することができる。
【００５３】
・  上記第１実施形態においては、ディスプレイケース１０は、プロジェクタ３０からガイド画像を底面部１１に投影することによって展示する商品の配置を指示する。ガイド画像において、展示物を設置する前に、照明光の強度、フォーカスや配置を確認するための準備画像を出力するようにしてもよい。この準備画像には、照明光の強度やフォーカスを確認するためのテストパターン画像や、底面部の位置を特定するためのマーカ画像を含める。そして、テストパターン画像により、プロジェクタ３０の発光強度やフォーカスを調整する。更に、底面部１１に投影される位置に基づいて、プロジェクタ３０やミラー４０の取付角度を調整する。これにより、底面部１１において、的確な位置に照明を投影することができる。
【００５４】
・  上記第１実施形態においては、ガイド画像データ２２１や展示画像データ２２２を作成する場合には、展示物には、コード画像を印字したシールを貼付しておく。そして、カメラ５０を用いて、このコード画像を撮影して、展示物の配置を特定する。カメラ５０を用いて、展示物の配置を特定する方法は、これに限定されるものではない。例えば、撮影画像を用いて、画像処理を行なうことにより、展示物の配置を特定するようにしてもよい。この場合には、展示物の配置前の撮影画像と、配置後の撮影画像とを比較して、展示物の配置や大きさを特定する。
【００５５】
・  上記各実施形態においては、プロジェクタ３０は、ディスプレイケース１０の上面部１４に配置する。プロジェクタ３０の配置場所は、上面部１４の内部に限定されるものではなく、背面部１２や底面部１１の内部でもよい。例えば、図５に示すように、プロジェクタ３０を背面部１２に配置してもよい。この場合、プロジェクタ３０の出光部３２が上方に向くように配置する。プロジェクタ３０からの照明光を、上面部１４に配置した複数のミラー（ミラー４０を含む）を用いて、底面部１１に投影させる。
【００５６】
・  上記各実施形態においては、プロジェクタ３０からの照明光は、底面部１１の上面にフォーカスが合うように設定する。これに代えて、展示物の高さに応じて、プロジェクタ３０のフォーカスを変更してもよい。この場合には、展示物の高さに応じて、プロジェクタ３０は、出光部３２のフォーカスを、展示画像データ２２２の内容に応じて変更するように制御する。
【００５７】
・  上記各実施形態においては、プロジェクタ３０を用いて、画像オブジェクトを含めた動画を投影する。ここで、展示物の高さに応じて、照明強度を変更した画像オブジェクトを生成するようにしてもよい。例えば、背が高い展示物については、比較的低い照明強度の画像オブジェクトを用いる。一方、背が低い展示物については、比較的高い照明強度の画像オブジェクトを用いる。光源から距離が離れる程、照明光が拡散するため、遠い位置に存在する展示物に対しては、光強度を上げておくことにより、バランスよく照明することができる。
【００５８】
・  上記各実施形態においては、展示モードにおいて、動画を商品に投影する。この場合、閲覧者の有無により、動画を変更するようにしてもよい。例えば、ディスプレイケース１０に人感センサを設けておき、人感センサの信号を制御装置２０に供給する。そして、人感センサによって、ディスプレイケース１０の所定範囲に人の存在を検知した場合にのみ、制御装置２０は、ディスプレイ用の動画をプロジェクタ３０から出力させる。一方、人の存在を検知しない場合には、制御装置２０は、照明を落としたり、変化が少ない画像を出力したりするスタンバイモードに自動的に切り替える。
【００５９】
更に、ディスプレイケース１０に対する人の存在方向（閲覧方向）によって、展示画像データを変更するようにしてもよい。この場合には、ディスプレイケース１０の周縁の複数の方向において人感センサを設けておく。そして、制御装置２０の制御部２１は、人を検知した方向が正面となるように動画の方向を変更した展示画像データ２２２をプロジェクタ３０に供給して、プロジェクタ３０から画像を出力させる。
【００６０】
・  上記各実施形態においては、平面形状のミラー４０を用いて、プロジェクタ３０からの動画を展示物に投影する。ミラー４０の形状は、平面に限定されるものではなく、凹面鏡、凸面鏡、角度が異なる平面から構成されたミラーを用いることも可能である。この場合、プロジェクタ３０から、複数に分割した画像を出力させて、それぞれミラー４０の一部分で反射させて、複数の画像を、底面部１１の上面に投影するようにしてもよい。
【００６１】
・  上記各実施形態においては、展示物の配置レイアウトを想定して、この想定に応じてガイド画像データ２２１や展示画像データ２２２を作成する。これに代えて、展示物の立体モデルを用いて作成するようにしてもよい。この場合、画像生成手段を用いて、予め展示物の形状及び配置を決定し、立体スキャナを用いて形状や配置を読み取り、立体モデルを作成する。そして、画像生成手段が、この立体モデルを用いて、照明内容のシミュレーションを行なう。このシミュレーションにより、展示物の形状や配置に対応したガイド画像データ２２１及び展示画像データ２２２を作成する。
【符号の説明】
【００６２】
１０，１０Ａ，１０Ｂ…ディスプレイケース、１１…底面部、１２…背面部、１３ａ，１３ｂ，１３ｃ…透過面、１４…上面部、１４…背面部、２０…制御装置、２１…制御部、２２…データ記憶部、２３…操作部、３０…プロジェクタ、３２…発光部、３５，４５…回転支持体、４０…ミラー、５０…カメラ、６０…タッチセンサフィルム、２２１…ガイド画像データ、２２２…展示画像データ、２２３…展示物データ。
【図１】
2013044874.tif 000003
【図２】
2013044874.tif 000004
【図３】
2013044874.tif 000005
【図４】
2013044874.tif 000006
【図５】
2013044874.tif 000007